(57)【要約】【課題】券媒体との通信が正常の場合でも、あるいは、券媒体から読取った券情報が正常の場合でも、券媒体の表面に印刷された券面情報に対して異なっている場合は、当該券媒体を異常として検出できる券類処理装置を提供する。【解決手段】利用者が提示する券媒体を受入れ、この受入れた券媒体からそれに記録された券情報を読取り、この読取った券情報に基づき当該券媒体に係る所定の処理を行なう券類処理装置において、券媒体を受入れた際、券媒体の表面に印刷された券面情報を読取るとともに券媒体の記録部に記録された券情報を読取り、両情報を比較することで、両情報内のあらかじめ定められた比較対象項目が一致しなかった場合は当該券媒体は異常であると判定する。【選択図】      図３
2008071180.tif 000002
【特許請求の範囲】
【請求項１】
利用者が提示する、表面に券面情報が印刷されているとともに券情報を記録した記録部を備えた券媒体を受入れ、この受入れた券媒体からそれに記録された券情報を読取り、この読取った券情報に基づき当該券媒体に係る所定の処理を行なう券類処理装置において、
前記券媒体を受入れた際、当該券媒体の表面に印刷された券面情報を読取る第１の読取手段と、
前記券媒体を受入れた際、当該券媒体の記録部からそれに記録された券情報を読取る第２の読取手段と、
前記第１の読取手段により読取られた券面情報と前記第２の読取手段により読取られた券情報とを比較し、両情報内のあらかじめ定められた特定の情報間に所定の関係が成立した場合は当該券媒体は正常であると判定し、前記特定の情報間に所定の関係が成立しなかった場合は当該券媒体は異常であると判定する判定手段と、
を具備したことを特徴とする券類処理装置。
【請求項２】
前記判定手段により当該券媒体は正常であると判定された場合、当該券媒体から読取った券情報に基づく所定の処理を行なうよう制御し、当該券媒体は異常であると判定された場合、前記所定の処理を禁止するよう制御する制御手段をさらに具備したことを特徴とする請求項１記載の券類処理装置。
【請求項３】
前記特定の情報は券媒体固有の券番号であることを特徴とする請求項１記載の券類処理装置。
【請求項４】
前記券媒体は磁気券あるいはＩＣカードによって構成され、交通機関で使用される乗車券媒体あるいは価値の増減が可能なプリペイド媒体であることを特徴とする請求項１記載の券類処理装置。
【請求項５】
前記特定の情報は乗車券媒体固有の券番号あるいは発駅名であることを特徴とする請求項４記載の券類処理装置。
【請求項６】
利用者が提示する価値の増減が可能なプリペイド媒体を受入れ、この受入れたプリペイド媒体からそれに記録された情報を読取り、この読取った情報に基づき当該プリペイド媒体に対し価値の積み増しあるいは減算処理を行なう券類処理装置において、
前記プリペイド媒体を受入れた際、当該プリペイド媒体の表面に印刷された情報を読取る第１の読取手段と、
前記プリペイド媒体を受入れた際、当該プリペイド媒体からそれに記録された情報を読取る第２の読取手段と、
前記第１の読取手段により読取られた情報と前記第２の読取手段により読取られた情報とを比較し、両情報内のあらかじめ定められた特定の情報間に所定の関係が成立した場合は当該プリペイド媒体は正常であると判定し、前記特定の情報間に所定の関係が成立しなかった場合は当該プリペイド媒体は異常であると判定する判定手段と、
を具備したことを特徴とする券類処理装置。
【請求項７】
利用者が提示する価値の増減が可能なプリペイド媒体を受入れ、利用者が指定する発行条件に基づき所定の乗車券媒体を発行するとともに、この発行した乗車券媒体の価値相当分の価値を前記受入れたプリペイド媒体から減算処理する券類処理装置において、
前記プリペイド媒体を受入れた際、当該プリペイド媒体の表面に印刷された情報を読取る第１の読取手段と、
前記プリペイド媒体を受入れた際、当該プリペイド媒体からそれに記録された情報を読取る第２の読取手段と、
前記第１の読取手段により読取られた情報と前記第２の読取手段により読取られた情報とを比較し、両情報内のあらかじめ定められた特定の情報間に所定の関係が成立した場合は当該プリペイド媒体は正常であると判定し、前記特定の情報間に所定の関係が成立しなかった場合は当該プリペイド媒体は異常であると判定する判定手段と、
を具備したことを特徴とする券類処理装置。
【請求項８】
利用者が提示する旧定期券を受入れ、この受入れた旧定期券からそれに記録された券情報を読取り、この読取った券情報に基づき新定期券を発行する券類処理装置において、
前記旧定期券を受入れた際、当該旧定期券の表面に印刷された券面情報を読取る第１の読取手段と、
前記旧定期券を受入れた際、当該旧定期券からそれに記録された券情報を読取る第２の読取手段と、
前記第１の読取手段により読取られた券面情報と前記第２の読取手段により読取られた券情報とを比較し、両情報内のあらかじめ定められた特定の情報間に所定の関係が成立した場合は当該旧定期券は正常であると判定し、前記特定の情報間に所定の関係が成立しなかった場合は当該旧定期券は異常であると判定する判定手段と、
を具備したことを特徴とする券類処理装置。
【請求項９】
利用者が提示する乗車券媒体を受入れ、この受入れた乗車券媒体からそれに記録された券情報を読取り、この読取った券情報に基づき当該利用者の通行可否を判定し通行を制御する券類処理装置において、
前記乗車券媒体を受入れた際、当該乗車券媒体の表面に印刷された券面情報を読取る第１の読取手段と、
前記乗車券媒体を受入れた際、当該乗車券媒体からそれに記録された券情報を読取る第２の読取手段と、
前記第１の読取手段により読取られた券面情報と前記第２の読取手段により読取られた券情報とを比較し、両情報内のあらかじめ定められた特定の情報間に所定の関係が成立した場合は当該乗車券媒体は正常であると判定し、前記特定の情報間に所定の関係が成立しなかった場合は当該乗車券媒体は異常であると判定する判定手段と、
を具備したことを特徴とする券類処理装置。
【発明の詳細な説明】
【技術分野】
【０００１】
本発明は、たとえば、鉄道などの交通機関において用いられる自動券売機、自動定期券発行機、自動清算機、自動改札機などの駅務機器や各種自動販売機など、乗車券媒体あるいはプリペイド媒体（プリペイドカード等）などの券媒体を受入れて所定の処理を行なう券類処理装置に関する。
【背景技術】
【０００２】
たとえば、鉄道などの交通機関で用いられる自動券売機、自動定期券発行機、自動清算機、自動改札機などの駅務機器において、定期券や乗車券などの乗車券媒体あるいはプリペイドカードなどのプリペイド媒体などの券媒体を処理する場合、券媒体が非接触式ＩＣカードで構成されている場合は非接触通信（無線通信）を行なうことでメモリに記録された情報の読取りを行ない、また、券媒体が磁気券で構成されている場合は磁気的に記録された情報の読取を行ない、この券媒体から読取った記録情報により受入れた券媒体の有効性を判定している（たとえば、特許文献１参照）。
【特許文献１】特開平９−７０１０号公報
【発明の開示】
【発明が解決しようとする課題】
【０００３】
非接触式ＩＣカードに対し不正な無線通信が行なわれたり、あるいは、磁気券の情報が偽造されたりしても、券媒体から読取った情報に異常がなければ、駅務機器はその券媒体を有効（正常）として扱っている。そのため、券媒体から読取った情報が当該券媒体の表面に印刷された券面情報に対して異なっていても、その券媒体が異常と検出できないという問題がある。
【０００４】
そこで、本発明は、券媒体との通信が正常の場合でも、あるいは、券媒体から読取った券情報が正常の場合でも、券媒体の表面に印刷された券面情報に対して異なっている場合は、当該券媒体を異常として検出できる券類処理装置を提供することを目的とする。
【課題を解決するための手段】
【０００５】
本発明の券類処理装置は、利用者が提示する、表面に券面情報が印刷されているとともに券情報を記録した記録部を備えた券媒体を受入れ、この受入れた券媒体からそれに記録された券情報を読取り、この読取った券情報に基づき当該券媒体に係る所定の処理を行なう券類処理装置において、前記券媒体を受入れた際、当該券媒体の表面に印刷された券面情報を読取る第１の読取手段と、前記券媒体を受入れた際、当該券媒体の記録部からそれに記録された券情報を読取る第２の読取手段と、前記第１の読取手段により読取られた券面情報と前記第２の読取手段により読取られた券情報とを比較し、両情報内のあらかじめ定められた特定の情報間に所定の関係が成立した場合は当該券媒体は正常であると判定し、前記特定の情報間に所定の関係が成立しなかった場合は当該券媒体は異常であると判定する判定手段とを具備している。
【発明の効果】
【０００６】
本発明によれば、券媒体との通信が正常の場合でも、あるいは、券媒体から読取った券情報が正常の場合でも、券媒体の表面に印刷された券面情報に対して異なっている場合は、当該券媒体を異常として検出できる券類処理装置を提供できる。
【発明を実施するための最良の形態】
【０００７】
以下、本発明の実施の形態について図面を参照して説明する。  
図１は、本実施の形態に係る鉄道関係の駅に設置される自動券売機や自動定期券発行機などの券類処理装置の構成を概略的に示すものである。図１において、制御手段および判定手段としての主制御部１１には、メモリ部１２、表示部１３、運賃処理部１４、第２の読取手段としての磁気券処理部１５、第２の読取手段としての無線式ＩＣカード処理部１６、紙幣処理部１７、硬貨処理部１８、操作部１９、第１の読取手段としてのスキャナ部２０、および、通信制御部２１がそれぞれ接続されている。
【０００８】
主制御部１１は、本装置全体の制御を司るもので、ＣＰＵなどを主体に構成されている。メモリ部１２は、主制御部１１の制御プログラムなどを記憶しているＲＯＭ、主制御部１１により本装置を制御する際に発生するデータなどを一時的に記憶するＲＡＭ、料金計算などを行なうための運賃データを記憶している運賃メモリなどから構成されている。  
表示部１３は、各種入力データや処理データなどを表示する。運賃処理部１４は、運賃などの各種料金計算を行なう。
【０００９】
磁気券処理部１５は、利用者により提示（挿入）される券媒体としての磁気券（定期券、乗車券、プリペイドカード等）Ｃ１を受入れ、この受入れた磁気券Ｃ１に対し磁気記録部に磁気記録された券情報を読取ったり所定の情報を書込んだりする処理を行なうもので、磁気ヘッドを主体に構成される。  
ここに、磁気券Ｃ１の表面には、固有情報としての券番号を含む券面情報が印刷されているとともに、磁気記録部に磁気記録された券情報内にも、固有情報としての券番号が含まれているものとする。
【００１０】
無線式ＩＣカード処理部１６は、利用者により提示（挿入）される券媒体としての無線式ＩＣカード（定期券、プリペイドカード等）Ｃ２を受入れ、この受入れたＩＣカードＣ２との間で無線通信を行なうことで、ＩＣカードＣ２に対し内部のメモリ（記録部）に記録された券情報を読取ったり所定の情報を書込んだりする処理を行なうもので、アンテナを含む無線式ＩＣカードリーダライタを主体に構成される。  
ここに、ＩＣカードＣ２の表面には、固有情報としての券番号を含む券面情報が印刷されているとともに、内部のメモリに記録された券情報内にも、固有情報としての券番号が含まれているものとする。
【００１１】
紙幣処理部１７は、紙幣の受入れ処理や釣銭紙幣の放出処理を行なう。硬貨処理部１８は、硬貨の受入れ処理や釣銭硬貨の放出処理を行なう。操作部１９は、各種設定データの入力などを行なうもので、複数の操作釦などで構成されている。
【００１２】
スキャナ部２０は、磁気券処理部１５で受入れた磁気券Ｃ１あるいは無線式ＩＣカード処理部１６で受入れたＩＣカードＣ２の表面に印刷された券面情報を光学的に読取るもので、ＣＣＤセンサなどを主体に構成されている。  
通信制御部２１は、上位装置としての上位サーバや監視盤とのインタフェイスとして機能する。
【００１３】
図２は、本実施の形態に係る鉄道関係の駅に設置される券類処理装置としての自動改札機の構成を概略的に示すものである。図２において、制御手段および判定手段としての主制御部３１には、メモリ部３２、第２の読取手段としての読取ヘッド３３を制御する読取制御部３４、書込ヘッド３５を制御する書込制御部３６、サーマルヘッド３７を制御する印刷制御部３８、パンチ処理部３９を制御するパンチ処理制御部４０、第１の読取手段としてのスキャナ部４１、アンテナ４２を含む無線式ＩＣカードリーダライタ部４３、搬送機構４４を制御する搬送制御部４５、複数の人間検知器４６が接続された人間通過検知部４７、ドア機構４８を制御するドア制御部４９、表示部５０を制御する表示制御部５１、および、通信制御部５２がそれぞれ接続されている。
【００１４】
主制御部３１は、本装置全体の制御を司るもので、ＣＰＵなどを主体に構成されている。メモリ部３２は、主制御部３１の制御プログラムなどを記憶しているＲＯＭ、主制御部３１により本装置を制御する際に発生するデータなどを一時的に記憶するＲＡＭ、料金計算などを行なうための運賃データを記憶している運賃メモリなどから構成されている。
【００１５】
読取ヘッド３３は、搬送機構４４により受入れ搬送される磁気券（定期券、乗車券、プリペイドカード等）Ｃ１の磁気記録部に磁気記録された券情報を読取る処理を行なうもので、磁気ヘッドを主体に構成される。書込ヘッド３５は、搬送機構４４により受入れ搬送される磁気券Ｃ１の磁気記録部に所定の情報を書込む処理を行なうもので、磁気ヘッドを主体に構成される。
【００１６】
サーマルヘッド３７は、搬送機構４４により受入れ搬送される磁気券Ｃ１に対し文字情報を印刷する。パンチ処理部３９は、搬送機構４４により受入れ搬送される磁気券Ｃ１に対しパンチ孔をあける処理を行なう。  
スキャナ部４１は、搬送機構４４により受入れ搬送される磁気券Ｃ１の表面に印刷された券面情報を光学的に読取るもので、ＣＣＤセンサなどを主体に構成されている。
【００１７】
無線式ＩＣカードリーダライタ部４３は、利用者によりアンテナ４２部に翳される券媒体としての無線式ＩＣカード（定期券、プリペイドカード等）Ｃ２との間で無線通信を行なうことで、ＩＣカードＣ２に対し内部のメモリ（記録部）に記録された券情報を読取ったり所定の情報を書込んだりする処理を行なう。
【００１８】
搬送機構４４は、利用者により券投入部（図示しない）に投入される券媒体としての磁気券Ｃ１を受入れ、この受入れた磁気券Ｃ１を券取出部（図示しない）へ搬送するものであり、その搬送途中において、搬送される磁気券Ｃ１に対し券面情報の読取りや券情報の読取りなどが行なわれる。
【００１９】
複数の人間検知器４６は、改札通路を通過する利用者を光学的に検知する。ドア機構４８は、改札通路を通過する利用者の通行を制御する。表示部５０は、改札通路を通過する利用者に対し各種案内文を表示する。通信制御部５２は、上位装置としての上位サーバや監視盤とのインタフェイスとして機能する。
【００２０】
次に、このような構成において動作を説明する。  
まず、図１に示した自動券売機や自動定期券発行機などの券類処理装置において、磁気券（定期券、乗車券、プリペイドカード等）Ｃ１に対する動作を図３に示すフローチャートを参照して説明する。
【００２１】
図示しない券挿入部に磁気券Ｃ１が挿入されると（ステップＳ１）、磁気券処理部１５は、挿入された磁気券Ｃ１を受入れ、この受入れた磁気券Ｃ１の磁気記録部に磁気記録された券情報を読取り（ステップＳ２）、主制御部１１へ送る。また、スキャナ部２０は、上記受入れた磁気券Ｃ１の表面に印刷された券面情報を読取り（ステップＳ３）、主制御部１１へ送る。
【００２２】
主制御部１１は、磁気券処理部１５により読取られた券情報とスキャナ部２０により読取られた券面情報とを比較し、両情報内のあらかじめ定められた特定の情報間に所定の関係が成立するか否か、たとえば、両情報内のあらかじめ定められた比較対象項目は一致するか否かをチェックする（ステップＳ４）。
【００２３】
このチェックの結果、両情報内の比較対象項目が一致した場合、主制御部１１は、当該磁気券Ｃ１は正常であると判定し、正常処理を行なう（ステップＳ５）。ステップＳ４におけるチェックの結果、両情報内の比較対象項目が一致しなかった場合、主制御部１１は、当該磁気券Ｃ１は異常であると判定して以降の処理を禁止し、受入れた磁気券Ｃ１を返却する（ステップＳ６）。
【００２４】
ここに、ステップＳ５における正常処理とは、当該券類処理装置が自動券売機であって、受入れた磁気券Ｃ１がプリペイドカードであり、操作部１９で乗車券購入が選択された場合、指定された乗車券の発行処理が行なわれる。
【００２５】
また、当該券類処理装置が自動券売機であって、受入れた磁気券Ｃ１が乗車券であり、操作部１９で清算処理が選択された場合、当該乗車券に対する清算処理が行なわれる。
【００２６】
また、当該券類処理装置が自動定期券発行機であって、受入れた磁気券Ｃ１がプリペイドカードであり、操作部１９で定期券購入が選択された場合、指定された定期券の発行処理が行なわれる。
【００２７】
また、当該券類処理装置が自動定期券発行機であって、受入れた磁気券Ｃ１が旧定期券であり、操作部１９で継続定期券購入が選択された場合、受入れた旧定期券に対する新定期券の発行処理が行なわれる。
【００２８】
次に、図１に示した自動券売機や自動定期券発行機などの券類処理装置において、ＩＣカード（定期券、プリペイドカード等）Ｃ２に対する動作を図４に示すフローチャートを参照して説明する。  
図示しないカード挿入部にＩＣカードＣ２が挿入されると（ステップＳ１１）、無線式ＩＣカード処理部１６は、挿入されたＩＣカードＣ２を受入れ、この受入れたＩＣカードＣ２との間で無線通信を行なうことで、ＩＣカードＣ２のメモリに記録された券情報を読取り（ステップＳ１２）、主制御部１１へ送る。また、スキャナ部２０は、上記受入れたＩＣカードＣ２の表面に印刷された券面情報を読取り（ステップＳ１３）、主制御部１１へ送る。
【００２９】
主制御部１１は、無線式ＩＣカード処理部１６により読取られた券情報とスキャナ部２０により読取られた券面情報とを比較し、両情報内のあらかじめ定められた特定の情報間に所定の関係が成立するか否か、たとえば、両情報内のあらかじめ定められた比較対象項目は一致するか否かをチェックする（ステップＳ１４）。
【００３０】
このチェックの結果、両情報内の比較対象項目が一致した場合、主制御部１１は、当該ＩＣカードＣ２は正常であると判定し、正常処理を行なう（ステップＳ１５）。ステップＳ１４におけるチェックの結果、両情報内の比較対象項目が一致しなかった場合、主制御部１１は、当該ＩＣカードＣ２は異常であると判定して以降の処理を禁止し、受入れたＩＣカードＣ２を返却する（ステップＳ１６）。
【００３１】
ここに、ステップＳ１５における正常処理とは、当該券類処理装置が自動券売機であって、受入れたＩＣカードＣ２がプリペイドカードであり、操作部１９で乗車券購入が選択された場合、指定された乗車券の発行処理が行なわれるとともに、発行した乗車券の価値相当分の価値が当該プリペイドカードから減算処理される。
【００３２】
また、当該券類処理装置がプリペイドカードのチャージ処理可能な自動券売機であって、受入れたＩＣカードＣ２が価値のチャージ（積み増し）可能なプリペイドカードであり、操作部１９でチャージ処理が選択された場合、当該プリペイドカードに対するチャージ処理が行なわれる。
【００３３】
また、当該券類処理装置が自動定期券発行機であって、受入れたＩＣカードＣ２がプリペイドカードであり、操作部１９で定期券購入が選択された場合、指定された定期券の発行処理が行なわれるとともに、発行した定期券の価値相当分の価値が当該プリペイドカードから減算処理される。
【００３４】
また、当該券類処理装置が自動定期券発行機であって、受入れたＩＣカードＣ２が旧定期券であり、操作部１９で継続定期券購入が選択された場合、受入れた旧定期券に対する新定期券の発行処理が行なわれる。
【００３５】
次に、図２に示した自動改札機において、磁気券（定期券、乗車券、プリペイドカード等）Ｃ１に対する動作を図５に示すフローチャートを参照して説明する。  
図示しない券投入部に磁気券Ｃ１が投入されると（ステップＳ２１）、搬送機構４４は、投入された磁気券Ｃ１を受入れ、この受入れた磁気券Ｃ１を券取出部へ向かって搬送するが、その搬送途中において、読取ヘッド３３は搬送される磁気券Ｃ１の磁気記録部に磁気記録された券情報を読取り（ステップＳ２２）、主制御部３１へ送る。また、スキャナ部４１は、上記搬送される磁気券Ｃ１の表面に印刷された券面情報を読取り（ステップＳ２３）、主制御部３１へ送る。
【００３６】
主制御部３１は、読取ヘッド３３により読取られた券情報とスキャナ部４１により読取られた券面情報とを比較し、両情報内のあらかじめ定められた特定の情報間に所定の関係が成立するか否か、たとえば、両情報内のあらかじめ定められた比較対象項目は一致するか否かをチェックする（ステップＳ２４）。
【００３７】
このチェックの結果、両情報内の比較対象項目が一致した場合、主制御部３１は、当該磁気券Ｃ１は正常であると判定し、正常処理を行なう（ステップＳ２５）。ここに、正常処理とは、受入れた磁気券Ｃ１から読取った券情報に基づく通行可否の判定を行ない、通行可であればドア機構４８を開放して当該利用者の通行を許可し、通行否であればドア機構４８を閉じて当該利用者の通行を拒否する処理が行なわれる。
【００３８】
ステップＳ２４におけるチェックの結果、両情報内の比較対象項目が一致しなかった場合、主制御部３１は、当該磁気券Ｃ１は異常であると判定して以降の処理を禁止し、ドア機構４８を閉じて当該利用者の通行を拒否するとともに、受入れた磁気券Ｃ１を券取出部へ返却する（ステップＳ２６）。
【００３９】
なお、自動改札機の場合、ＩＣカードＣ２は無線通信により処理されるため、スキャナ部４１による券面情報の読取りは行なえない。したがって、券情報と券面情報との比較対象項目のチェックは行なわないものとする。
【００４０】
図６は、券面情報と券情報との比較対象項目の具体例を示している。この例では、ＩＣカードＣ２の場合は比較対象項目として例えば券番号を用いる。磁気券Ｃ１の場合、自動定期券発行機では比較対象項目として例えば券番号を用い、自動券売機および自動改札機では比較対象項目として例えば発駅名を用いる。なお、比較対象項目はこれらに限定されるものではなく、他の項目を用いてもよい。
【００４１】
以上説明したように蒸気実施の形態によれば、券媒体を受入れた際、券媒体の表面に印刷された券面情報を読取るとともに券媒体の記録部に記録された券情報を読取り、両情報を比較することで、両情報内のあらかじめ定められた比較対象項目が一致しなかった場合は当該券媒体は異常であると判定することにより、券媒体がＩＣカードの場合は、無線通信が正常の場合でも、表面に印刷された券面情報に対して異なっている場合は、当該券媒体を異常と検出できる。また、券媒体が磁気券の場合は、読取った券情報が正常の場合でも、表面に印刷された券面情報に対して異なっている場合は、当該券媒体を異常と検出できる。
【図面の簡単な説明】
【００４２】
【図１】本発明の実施の形態に係る鉄道関係の駅に設置される自動券売機や自動定期券発行機などの券類処理装置の構成を概略的に示すブロック図。
【図２】本発明の実施の形態に係る鉄道関係の駅に設置される券類処理装置としての自動改札機の構成を概略的に示すブロック図。
【図３】自動券売機や自動定期券発行機などの券類処理装置において磁気券に対する動作を説明するフローチャート。
【図４】自動券売機や自動定期券発行機などの券類処理装置においてＩＣカードに対する動作を説明するフローチャート。
【図５】自動改札機において磁気券に対する動作を説明するフローチャート。
【図６】券面情報と券情報との比較対象項目の具体例を示す図。
【符号の説明】
【００４３】
１１…主制御部（制御手段、判定手段）、１２…メモリ部、１３…表示部、１４…運賃処理部、１５…磁気券処理部（第２の読取手段）、１６…無線式ＩＣカード処理部（第２の読取手段）、１７…紙幣処理部、１８…硬貨処理部、１９…操作部、２０…スキャナ部（第１の読取手段）、２１…通信制御部。
【図１】
2008071180.tif 000003
【図２】
2008071180.tif 000004
【図３】
2008071180.tif 000005
【図４】
2008071180.tif 000006
【図５】
2008071180.tif 000007
【図６】
2008071180.tif 000008